(57)【要約】【課題】  従来のモニターを利用した輝度値測定装置は、モニター内に表示された映像上で使用者が指定した地点のデータ値を表示することのみを行い、その結果、データ値は把握できるものの複数地点間の差を直感的に把握することは困難であった。【解決手段】  本発明のモニターは、映像上で使用者が指定した複数地点の輝度値を同一画面内のグレースケール上に倍率可変で表示することにより、視覚的および直感的にそれらの輝度と差異が把握でき、黒色のツブレ確認が容易にできる。【選択図】  図４
2009170984.tif 000002
【特許請求の範囲】
【請求項１】
使用者が任意に選択指定した画面上のポイントの輝度を映像と同一画面に表示するモニター装置において、
使用者が複数のポイントを選択指定する機能と、
指定されたポイントの輝度を映像信号から抽出する機能と、
表示輝度が連続的に変化するグレースケールを画面上に表示する機能とを備え、
映像画面上に、指定した複数のポイント位置を表示すると共に、これら複数のポイントの輝度に相当するグレースケール上の位置にポイント名を表示することを特徴とするモニター装置。
【請求項２】
前記複数地点の輝度値をグレースケール上にポイント表示する機能は、モニター搭載のスイッチ操作により、グレースケールの一部を選択して倍率指定で拡大表示出来ることを特徴とする請求項１記載のモニター装置。
【発明の詳細な説明】
【技術分野】
【０００１】
本発明は、映像上の複数地点の輝度値をグレースケール上に表示する機能を備えたモニターに関するものである。
【背景技術】
【０００２】
従来のモニターを利用した輝度値測定装置は、モニターで使用者が指定した地点のデータ値を表示することのみを行い、その結果、データ値は把握できるものの複数地点のそれぞれの差を把握することは困難であった。そのため、使用者はカメラの絞り調整や画像の黒色つぶれの調査を行う場合には、モニター上の輝度測定装置ではなく、別途準備した照度計を用いることが多かった。
【０００３】
【特許文献１】特開２００４−１４７００５号公報
【発明の開示】
【発明が解決しようとする課題】
【０００４】
しかしながら、従来のモニターを利用した輝度値測定装置は、モニターで使用者が指定した地点のデータ値を表示することのみを行い、その結果、データ値は把握できるものの複数地点間の差を直感的に把握することは困難である、という問題があった。
【０００５】
本発明は、上記問題点を解決し、映像上の複数地点の輝度の差異を直感的に把握することが可能なモニターを提供することを課題としている。
【課題を解決するための手段】
【０００６】
上記問題を解決する為に、本発明のモニターは、映像上で使用者が指定した複数地点の輝度値をグレースケール上に表示し、視覚的および直感的にそれらの輝度の差異が把握できる機能を持つことを特徴としている。
【０００７】
この発明によれば、映像上で使用者が指定した複数地点の輝度値をグレースケール上に表示することができるので、視覚的および直感的に複数地点の輝度の差異が把握することが可能である。
【発明の効果】
【０００８】
本発明によれば、視覚的および直感的に複数地点の輝度の差異を把握することができるので、使用者は照度計等の機器を使わずにモニター上で複数地点の輝度の差異を確認することができ、黒色のツブレ確認が容易になるという効果がある。
【発明を実施するための最良の形態】
【０００９】
以下、従来の技術について図１を用いて説明する。
【００１０】
映像信号１０１を映像確認用モニターに入力し、映像データ変換回路１０２にて映像データ１０３に変換する。
【００１１】
本機実装の垂直位置調整つまみ１１０を回して、スイッチデータ変換回路１１２にて、垂直位置情報１１３に変換する。垂直位置調整つまみ１１０を右回転することで垂直位置情報１１３はインクリメントし、垂直位置調整つまみ１１０を左回転することで垂直位置情報１１３はデクリメントする。垂直位置調整つまみ１１０を操作しない場合には垂直位置情報１１３はインクリメントもデクリメントもしない。
【００１２】
本機実装の水平位置調整つまみ１１１を回して、スイッチデータ変換回路１１２にて、水平位置情報１１４に変換する。水平位置調整つまみ１１１を右回転することで水平位置情報１１４はインクリメントし、水平位置調整つまみ１１１を左回転することで水平位置情報１１４はデクリメントする。水平位置調整つまみ１１１を操作しない場合には水平位置情報１１４はインクリメントもデクリメントもしない。
【００１３】
セレクタ回路１０４に、映像データ１０３、垂直位置情報１１３、水平位置情報１１４を入力する。
【００１４】
セレクタ回路１０４にて、現在選択されている映像上の任意地点の位置情報をカーソルデータ１１５変換して、ディスプレイ１０７にカーソルを表示する。カーソルは、映像上に横方向に一杯にのびる直線および縦方向に一杯にのびる直線の交点で表現され、その交点が、使用者が選択した映像上の任意地点となる。カーソルは、垂直位置情報１１３のインクリメントで上方向に移動し、デクリメントで下方向に移動する。またカーソルは、水平位置情報１１４のインクリメントで右方向に移動し、デクリメントで左方向に移動する。従って、使用者はディスプレイ１０７に表示されるカーソルを見ながら、本機実装の垂直位置調整つまみ１１０と水平位置調整つまみ１１１をまわして、映像上の任意地点を指定することができる。
【００１５】
セレクタ回路１０４にて、現在選択されている映像上の任意地点を先頭とした連続する複数個のデータを、映像データ１０３より抜き出し、輝度データ１０５と色差データ１０６に変換して、ディスプレイ１０７に表示する。
【００１６】
ディスプレイ１０７にて、連続する複数個の輝度データ１０５と色差データ１０６を表示し、その連続する複数個のデータの先頭は、カーソルで指定した映像データとなり、それは使用者が選択した映像上の任意地点となることから、連続する複数個のデータの先頭に表示される輝度データ１０５を見て、使用者は自身が選択した映像上の任意地点の輝度値を把握することができる。但し、使用者が選択した映像上の任意地点の輝度値以外のデータもディスプレイ１０７に多数表示されてしまう。
【００１７】
以下、従来の技術を、映像確認用モニターに適用した場合のモニター表示について、図２を用いて説明する。図の見易さを考慮して、モニター画面上に表示される連続する複数個のデータ数を２４個として説明する。
【００１８】
モニター画面２００には、縮小映像２１０とカーソル位置情報２１２と複数データ２２０が同時に表示される。
【００１９】
縮小映像２１０上に、カーソル２１１が表示される。カーソル２１１は映像上の横方向いっぱいにのびる直線と縦方向いっぱいにのびる直線の交点により表現され、その交点が、使用者が選択した映像上の任意地点となる。カーソル２１１は、本機実装のスイッチの操作によって、縮小映像２１０上を移動できる。
【００２０】
カーソル位置情報２１２は、カーソル２１１で選択した映像上の位置の情報であり、これにより使用者は自身が選択した地点のフィールド、ライン(垂直位置)、サンプル(水平位置)を把握できる。
【００２１】
複数データ２２０は、カーソル２１１で選択した地点の映像データである選択輝度２２５を先頭に複数の連続するデータであり、モニター画面上に輝度データＹ、色差データＰｂ／Ｐｒを同時に表示する。
【００２２】
よって使用者は、複数データ２２０先頭にある選択輝度２２５を見ることで、使用者が選択した映像上の任意地点の輝度値を把握ですることができる。但し、使用者が選択した映像上の任意地点の輝度値以外のデータもモニター画面上に多数表示されてしまう。
【００２３】
次に、本発明における映像上の複数地点の輝度値をグレースケールで表示する機能を、映像確認用モニターに適用した場合について、図３を用いて説明する。図の見易さを考慮して、使用者が指定する映像上の複数地点を４地点として説明する。また、グレースケールの拡大率を２倍と４倍の２種類とし、モニター画面をＸＧＡサイズ：１０２４×７６８として説明する。
【００２４】
映像信号３０１を映像確認用モニターに入力し、映像データ変換回路３０２にて映像データ３０３に変換する。
【００２５】
本機実装のポイント選択スイッチ３１５を押して、スイッチデータ変換回路３１２にて、ポイント情報３１６に変換する。ポイント選択スイッチを押す度に、ポイント情報２０６は１⇒２⇒３⇒４⇒１⇒２⇒…と繰り返し変化する。
【００２６】
本機実装の垂直位置調整つまみ３１０を回して、スイッチデータ変換回路３１２にて、垂直位置情報３１３に変換する。垂直位置調整つまみ３１０を右回転することで垂直位置情報３１３はインクリメントし、垂直位置調整つまみ３１０を左回転することで垂直位置情報３１３はデクリメントする。垂直位置調整つまみ３１０を操作しない場合には垂直位置情報３１３はインクリメントもデクリメントもしない。
【００２７】
本機実装の水平位置調整つまみ３１１を回して、スイッチデータ変換回路３１２にて、水平位置情報３１４に変換する。水平位置調整つまみ３１１を右回転することで水平位置情報３１４はインクリメントし、水平位置調整つまみ３１１を左回転することで水平位置情報３１４はデクリメントする。水平位置調整つまみ３１１を操作しない場合には水平位置情報３１４はインクリメントもデクリメントもしない。
【００２８】
輝度セレクタ回路３０４に、映像データ３０３、ポイント情報３１６、垂直位置情報３１３、水平位置情報３１４を入力する。
【００２９】
輝度セレクタ回路３０４にて、現在選択されている映像上の複数地点の位置情報をカーソルデータＡ３４１、カーソルデータＢ３４２、カーソルデータＣ３４３、カーソルデータＤ３４４に変換して、ディスプレイ３０７にカーソルＡ、カーソルＢ、カーソルＣ、カーソルＤを表示する。カーソルＡ、カーソルＢ、カーソルＣ、カーソルＤは、映像上に横方向の短直線および縦方向の短直線の交点で表現され、それぞれの交点が、使用者が選択した映像上の複数地点となる。
【００３０】
カーソルＡは、ポイント情報３１６が１のとき、映像上に横方向一杯にのびる直線および縦方向一杯にのびる直線の交点で表現され、それは垂直位置情報３１３のインクリメントで上方向に移動し、デクリメントで下方向に移動する。またこのときカーソルＡは、水平位置情報３１４のインクリメントで右方向に移動し、デクリメントで左方向に移動する。
【００３１】
カーソルＢは、ポイント情報３１６が２のとき、映像上に横方向一杯にのびる直線および縦方向一杯にのびる直線の交点で表現され、それは垂直位置情報３１３のインクリメントで上方向に移動し、デクリメントで下方向に移動する。またこのときカーソルＢは、水平位置情報３１４のインクリメントで右方向に移動し、デクリメントで左方向に移動する。
【００３２】
カーソルＣは、ポイント情報３１６が３のとき、映像上に横方向一杯にのびる直線および縦方向一杯にのびる直線の交点で表現され、それは垂直位置情報３１３のインクリメントで上方向に移動し、デクリメントで下方向に移動する。またこのときカーソルＣは、水平位置情報３１４のインクリメントで右方向に移動し、デクリメントで左方向に移動する。
【００３３】
カーソルＤは、ポイント情報３１６が４のとき、映像上に横方向一杯にのびる直線および縦方向一杯にのびる直線の交点で表現され、それは垂直位置情報３１３のインクリメントで上方向に移動し、デクリメントで下方向に移動する。またこのときカーソルＤは、水平位置情報３１４のインクリメントで右方向に移動し、デクリメントで左方向に移動する。
【００３４】
従って、使用者はディスプレイ３０７を見ながら、本機実装のポイント選択スイッチでカーソルＡあるいはカーソルＢあるいはカーソルＣあるいはカーソルＤを選択し、本機実装の垂直位置調整つまみ３１０と水平位置調整つまみ３１１を回して、映像上の複数地点を選択して指定することができる。
【００３５】
輝度セレクタ回路３０４にて、現在選択されている映像上の複数地点の輝度データを、映像データ３０３より抜き出し、輝度データＡ３３１、輝度データＢ３３２、輝度データＣ３３３、輝度データＤ３３４に変換して、ディスプレイ３０７に表示する。これにより、ディスプレイ３０７には、使用者が選択した映像上の複数地点の輝度値だけが表示される。
【００３６】
本機実装の倍率調整つまみ３２０を回して、スイッチデータ変換回路３１２にて、グレースケール倍率情報３２２に変換する。倍率調整つまみ３２０を右回転することでグレースケール倍率情報３２２は１⇒２⇒４とインクリメントし、倍率調整つまみ３２０を左回転することでグレースケール倍率情報３２２は４⇒２⇒１とデクリメントする。倍率調整つまみ３２０を操作しない場合にはグレースケール倍率情報３２２はインクリメントもデクリメントもしない。
【００３７】
本機実装の始点調整つまみ３２１を回して、スイッチデータ変換回路３１２にて、グレースケール始点情報３２３に変換する。始点調整つまみ３２１を右回転することでグレースケール始点情報３２３はインクリメントし、始点調整つまみ３２１を左回転することでグレースケール始点情報３２３はデクリメントする。始点調整つまみ３２１を操作しない場合にはグレースケール始点情報３２３はインクリメントもデクリメントもしない。
【００３８】
グレースケール作成回路３５０に、輝度データＡ３２１、輝度データＢ３２２、輝度データＣ３２３、輝度データＤ３２４、グレースケール倍率情報３２２、グレースケール始点情報３２３を入力する。
【００３９】
グレースケール作成回路３５０にて、グレースケール倍率情報３２２とグレースケール始点情報３２３を、グレースケールデータ３６０に変換して、ディスプレイ３０７にグレースケールを表示する。
【００４０】
グレースケール倍率情報３２２が１のとき、ディスプレイ３０７の左端に輝度データ０を割り当て、右方向に１ピクセル毎に１ずつインクリメントしていくことで、拡大率１倍のグレースケールデータ３６０が作成できる。この場合、ディスプレイ３０７に表示されるグレースケールの右端の輝度データは１０２３の固定値をとる。
【００４１】
グレースケール倍率情報３２２が２のとき、ディスプレイ３０７の左端に輝度データとしてグレースケール始点情報３２３を割り当て、右方向に２ピクセル毎に１ずつインクリメントしていくことで、拡大率２倍のグレースケールデータ３６０が作成できる。この場合、ディスプレイ３０７に表示されるグレースケールの右端の輝度データは、グレースケール始点情報３２３が０のときに最小値５１１をとり、グレースケール始点情報３２３が５１２のときに最大値１０２３をとる。またグレースケール倍率情報３２２が２のときは、グレースケール始点情報３２３の調整範囲は０〜５１２となる。
【００４２】
グレースケール倍率情報３２２が４のとき、ディスプレイ３０７の左端に輝度データとしてグレースケール始点情報３２３を割り当て、右方向に４ピクセル毎に１ずつインクリメントしていくことで、拡大率４倍のグレースケールデータ３６０が作成できる。この場合、ディスプレイ３０７に表示されるグレースケールの右端の輝度データは、グレースケール始点情報３２３が０のときに最小値２５５をとり、グレースケール始点情報３２３が７６８のときに最大値１０２３をとる。またグレースケール倍率情報３０７が４のときは、グレースケール始点情報３２３の調整範囲は０〜７６８となる。
【００４３】
これによりディスプレイ３０７に拡大率１倍、２倍、４倍のグレースケールが表示できることとなる。
【００４４】
グレースケール作成回路３５０にて、輝度データＡ３３１、輝度データＢ３３２、輝度データＣ３３３、輝度データＤ３３４を、グレースケール倍率情報３２２とグレースケール始点情報３２３を用いて、輝度カーソルデータＡ３５１、輝度カーソルデータＢ３５２、輝度カーソルデータＣ３５３、輝度カーソルデータＤ３５４に変換して、ディスプレイ３０７に輝度カーソルＡ、輝度カーソルＢ、輝度カーソルＣ、輝度カーソルＤを表示する。
【００４５】
グレースケール上で、輝度データＡ３３１とグレースケールデータ３６０の輝度データが同じになる、ディスプレイ３０７上の位置が、輝度カーソルデータＡ３５１となる。これによりディスプレイ３０７に表示されたグレースケール上に、輝度カーソルＡが配置される。グレースケール倍率情報３２２とグレースケール始点情報３２３の組み合わせによって、輝度データＡ３３１とグレースケールデータ３６０の輝度データが同じにならない場合には、輝度カーソルＡをディスプレイ３０７に表示しない。
【００４６】
グレースケール上で、輝度データＢ３３２とグレースケールデータ３６０の輝度データが同じになる、ディスプレイ３０７上の位置が、輝度カーソルデータＢ３５２となる。これによりディスプレイ３０７に表示されたグレースケール上に、輝度カーソルＢが配置される。グレースケール倍率情報３２２とグレースケール始点情報３２３の組み合わせによって、輝度データＢ３３２とグレースケールデータ３６０の輝度データが同じにならない場合には、輝度カーソルＢをディスプレイ３０７に表示しない。
【００４７】
グレースケール上で、輝度データＣ３３３とグレースケールデータ３６０の輝度データが同じになる、ディスプレイ３０７上の位置が、輝度カーソルデータＣ３５３となる。これによりディスプレイ３０７に表示されたグレースケール上に、輝度カーソルＣが配置される。グレースケール倍率情報３２２とグレースケール始点情報３２３の組み合わせによって、輝度データＣ３３３とグレースケールデータ３６０の輝度データが同じにならない場合には、輝度カーソルＣをディスプレイ３０７に表示しない。
【００４８】
グレースケール上で、輝度データＤ３３４とグレースケールデータ３６０の輝度データが同じになる、ディスプレイ３０７上の位置が、輝度カーソルデータＤ３５４となる。これによりディスプレイ３０７に表示されたグレースケール上に、輝度カーソルＤが配置される。グレースケール倍率情報３２２とグレースケール始点情報３２３の組み合わせによって、輝度データＤ３３４とグレースケールデータ３６０の輝度データが同じにならない場合には、輝度カーソルＤをディスプレイ３０７に表示しない。
【００４９】
輝度カーソルＡ、輝度カーソルＢ、輝度カーソルＣ、輝度カーソルＤは、グレースケール上に横方向の短直線および縦方向の短直線の交点で表現され、それぞれの交点が、使用者が選択した映像上の複数地点の輝度値をグレースケール上に配置したものとなる。
【００５０】
従って、使用者はディスプレイ３０７に表示されるグレースケール上で、輝度カーソルＡ、輝度カーソルＢ、輝度カーソルＣ、輝度カーソルＤの配置を見ることで、映像上の複数地点の持つ輝度について、おおよそ明るい暗いが判断できる。また輝度カーソルＡ、輝度カーソルＢ、輝度カーソルＣ、輝度カーソルＤ間のグレースケール上の距離がそのまま輝度の差として表現されることから、その距離により、視覚的に映像上の複数地点の持つ輝度の差を把握できる。
【００５１】
さらにグレースケール上で輝度カーソルＡ、輝度カーソルＢ、輝度カーソルＣ、輝度カーソルＤが重なって表示された場合にも、グレースケールを２倍、４倍と拡大して表示することにより、輝度カーソルＡ、輝度カーソルＢ、輝度カーソルＣ、輝度カーソルＤ間の距離も２倍、４倍となりその微小な輝度差が視覚的に把握できることから、映像上の複数地点の輝度値がある値周辺に固まった場合にも対応できる。
【００５２】
以下、本発明における映像上の複数地点の輝度値をグレースケールで表示する機能を、映像確認用モニターに適用した場合のモニター表示について、図４を用いて説明する。
【００５３】
モニター画面４００には、映像４１０と輝度値４２０とグレースケール４３０が同時に表示される。
【００５４】
映像４１０上に、カーソルＡ４１１、カーソルＢ４１２、カーソルＣ４１３、カーソルＤ４１４が表示され、使用者はそのうち１つのカーソルを選択し、映像４１０上の任意地点に移動することができる。使用者が選択したカーソルについてはカーソルガイド４１５が表示され、映像４１０上を移動する上での目安となる。４つのカーソルから１つを選択すること、および選択したカーソルを移動することは、本機実装のスイッチによって操作する。
【００５５】
カーソルＡ４１１、カーソルＢ４１２、カーソルＣ４１３、カーソルＤ４１４で選択された４地点の輝度値は、輝度値４２０に表示される。輝度値は、規格内のデータ値（６４〜９４０）を０〜１００とした百分率表示と、（）内にデータ値そのものを表示した２つとで表される。
【００５６】
グレースケール４３０は、輝度値０〜１０２３の範囲で表示し、モニター画面の左に行くほど輝度が低いこと、モニター画面の右に行くほど輝度が高いことを表現する。
【００５７】
グレースケール目盛４３５は、規格内のデータ値（６４〜９４０）を０〜１００とした百分率で表示され、０％、２５％、５０％、７５％、１００％がグレースケール４３０の下に表示される。グレースケール目盛４３５の０％、２５％、５０％、７５％、１００％が、グレースケール４３０上の輝度値０％、２５％、５０％、７５％、１００％の位置に対応している。
【００５８】
カーソルＡ４１１、カーソルＢ４１２、カーソルＣ４１３、カーソルＤ４１４で選択された４地点の輝度値を、グレースケール４３０上の輝度値に対応する位置に配置したものが、輝度カーソルＡ４３１、輝度カーソルＢ４３２、輝度カーソルＣ４３３、輝度カーソルＤ４３４となる。
【００５９】
輝度カーソルＡ４３１、輝度カーソルＢ４３２、輝度カーソルＣ４３３、輝度カーソルＤ４３４は、グレースケール４３０上にモニター画面左から輝度値の昇順に配置される。
【００６０】
従って使用者は、輝度カーソルＡ４３１、輝度カーソルＢ４３２、輝度カーソルＣ４３３、輝度カーソルＤ４３４のグレースケール４３０上の配置に、グレースケール目盛４３５を参照することで、カーソルＡ４１１、カーソルＢ４１２、カーソルＣ４１３、カーソルＤ４１４で選択された４地点の大まかな輝度値が把握できる。
【００６１】
また、グレースケール目盛４３５の０％と１００％の間に、輝度カーソルＡ４３１、輝度カーソルＢ４３２、輝度カーソルＣ４３３、輝度カーソルＤ４３４が配置される場合には、カーソルＡ４１１、カーソルＢ４１２、カーソルＣ４１３、カーソルＤ４１４で選択された４地点の輝度値が規格内に収まっていることがわかる。
【００６２】
逆にグレースケール目盛４３５の０％と１００％の間に、輝度カーソルＡ４３１、輝度カーソルＢ４３２、輝度カーソルＣ４３３、輝度カーソルＤ４３４が配置されない場合には、カーソルＡ４１１、カーソルＢ４１２、カーソルＣ４１３、カーソルＤ４１４で選択された４地点の輝度値が規格外であることがわかる。
【００６３】
さらに、輝度カーソルＡ４３１、輝度カーソルＢ４３２、輝度カーソルＣ４３３、輝度カーソルＤ４３４間の、それぞれの距離が輝度値の差そのものとなることから、カーソルＡ４１１、カーソルＢ４１２、カーソルＣ４１３、カーソルＤ４１４の輝度値の差が視覚的に把握できる。
【００６４】
以下、本発明におけるグレースケールの一部を拡大して表示する機能を、映像確認用モニターに適用した場合のモニター表示について、図５を用いて説明する。
【００６５】
２倍に拡大したグレースケール５１０は、グレースケール５００の輝度値の０％〜５０％付近を横方向に２倍に拡大して表示したものである。これによりグレースケール５００の輝度値の５０％〜１００％付近はモニター画面上には表示されなくなる。
【００６６】
また横方向に２倍にして表示することから、２倍に拡大したグレースケール目盛５１５の表示はそれに対応して変化し、この場合は輝度値０％〜５０％部分を拡大したことから、その目盛表示は０％、１２．５％、２５％、３７．５％、５０％となる。
【００６７】
同様に、横方向に２倍して表示することから、グレースケール５００上の、輝度カーソルＡ５０１、輝度カーソルＢ５０２、輝度カーソルＣ５０３、輝度カーソルＤ５０４の配置も横方向に２倍に引き伸ばされ、２倍に拡大したグレースケール５１０上で、２倍に拡大した輝度カーソルＡ５１１、２倍に拡大した輝度カーソルＢ５１２、２倍に拡大した輝度カーソルＣ５１３、２倍に拡大した輝度カーソルＤ５１４の配置となる。使用者はこれにより、２倍に拡大したグレースケール５１０上で、２倍に拡大した輝度カーソルＡ５１１、２倍に拡大した輝度カーソルＢ５１２、２倍に拡大した輝度カーソルＣ５１３、２倍に拡大した輝度カーソルＤ５１４の差異が視覚的に容易に把握できる。
【００６８】
また４倍に拡大したグレースケール５２０は、グレースケール５００の輝度値の０％〜２５０％付近を横方向に４倍に拡大して表示したものである。これによりグレースケール５００の輝度値の２５％〜１００％付近はモニター画面上には表示されなくなる。
【００６９】
また横方向に４倍にして表示することから、４倍に拡大したグレースケール目盛５２５の表示はそれに対応して変化し、この場合は輝度値０％〜２５％部分を拡大したことから、その目盛表示は０％、６．４％、１２．５％、１８．９％、２５％となる。
【００７０】
同様に、横方向に４倍して表示することから、グレースケール５００上の、輝度カーソルＡ５０１、輝度カーソルＢ５０２、輝度カーソルＣ５０３、輝度カーソルＤ５０４の配置も横方向に４倍に引き伸ばされ、４倍に拡大したグレースケール５２０上で、４倍に拡大した輝度カーソルＡ５２１、４倍に拡大した輝度カーソルＣ５２３、４倍に拡大した輝度カーソルＤ５２４の配置となる。使用者はこれにより、４倍に拡大したグレースケール５２０上で、４倍に拡大した輝度カーソルＡ５２１、４倍に拡大した輝度カーソルＣ５２３、４倍に拡大した輝度カーソルＤ５２４の差異が視覚的にさらに容易に把握できる。
【００７１】
この場合、輝度カーソルＢ５０２と対応する輝度値は、４倍に拡大したグレースケール５２０上には存在しないことから、４倍に拡大したグレースケール５２０上にそれと対応する輝度カーソルは配置されない。よってモニター画面に輝度カーソルＢ５０２と対応する輝度カーソルは表示されないこととなる。
【００７２】
これらグレースケールの倍率の指定、および拡大する部分の指定は、モニター搭載のスイッチを操作して実行する。
【００７３】
尚、本実施例では使用者がグレースケールの表示倍率を指定したが、輝度値の最大値と最小値を検出して表示倍率の決定を自動化する事も可能である。
【図面の簡単な説明】
【００７４】
【図１】従来技術による映像確認用モニターのブロック図である。
【図２】従来技術による映像確認用モニターのモニター表示図である。
【図３】本発明における映像確認用モニターのブロック図である。
【図４】本発明において複数地点の輝度値をグレースケール上に表示した場合のモニター表示図である。
【図５】本発明においてグレースケールの一部を選択して拡大表示した場合のモニター表示図である。
【符号の説明】
【００７５】
１０１  映像信号
１０２  映像データ変換回路
１０３  映像データ
１０４  セレクタ回路
１０５  輝度データ
１０６  色差データ
１０７  ディスプレイ
１１０  垂直位置調整つまみ
１１１  水平位置調整つまみ
１１２  スイッチデータ変換回路
１１３  垂直位置情報
１１４  水平位置情報
１１５  カーソルデータ
２００  モニター画面
２１０  縮小映像
２１１  カーソル
２１２  カーソル位置情報
２２０  複数データ
２２５  選択輝度
３０１  映像信号
３０２  映像データ変換回路
３０３  映像データ
３０４  輝度セレクタ回路
３０７  ディスプレイ
３１０  垂直位置調整つまみ
３１１  水平位置調整つまみ
３１２  スイッチデータ変換回路
３１３  垂直位置情報
３１４  水平位置情報
３１５  ポイント選択スイッチ
３１６  ポイント情報
３２０  倍率調整つまみ
３２１  始点調整つまみ
３２２  グレースケール倍率情報
３２３  グレースケール始点情報
３３１  輝度データＡ
３３２  輝度データＢ
３３３  輝度データＣ
３３４  輝度データＤ
３４１  カーソルデータＡ
３４２  カーソルデータＢ
３４３  カーソルデータＣ
３４４  カーソルデータＤ
３５０  グレースケール作成回路
３５１  輝度カーソルデータＡ
３５２  輝度カーソルデータＢ
３５３  輝度カーソルデータＣ
３５４  輝度カーソルデータＤ
３６０  グレースケールデータ
４００  モニター画面
４１０  映像
４１１  カーソルＡ
４１２  カーソルＢ
４１３  カーソルＣ
４１４  カーソルＤ
４１５  カーソルガイド
４２０  輝度値
４３０  グレースケール
４３１  輝度カーソルＡ
４３２  輝度カーソルＢ
４３３  輝度カーソルＣ
４３４  輝度カーソルＤ
４３５  グレースケール目盛
５００  グレースケール
５０１  輝度カーソルＡ
５０２  輝度カーソルＢ
５０３  輝度カーソルＣ
５０４  輝度カーソルＤ
５０５  グレースケール目盛
５１０  ２倍に拡大したグレースケール
５１１  ２倍に拡大した輝度カーソルＡ
５１２  ２倍に拡大した輝度カーソルＢ
５１３  ２倍に拡大した輝度カーソルＣ
５１４  ２倍に拡大した輝度カーソルＤ
５１５  ２倍に拡大したグレースケール目盛
５２０  ４倍に拡大したグレースケール
５２１  ４倍に拡大した輝度カーソルＡ
５２３  ４倍に拡大した輝度カーソルＣ
５２４  ４倍に拡大した輝度カーソルＤ
５２５  ４倍に拡大したグレースケール目盛
【図１】
2009170984.tif 000003
【図２】
2009170984.tif 000004
【図３】
2009170984.tif 000005
【図４】
2009170984.tif 000006
【図５】
2009170984.tif 000007